(57)【要約】【課題】採血した際に血が逆流しないように容易かつ確実にアームダウンすることができる採血昇降椅子を提供する。【解決手段】座部１と、背部２と、アームレスト３と、座部１を上下動させる脚部４とを、有する採血昇降椅子に於て、アームレスト３の上面７が、側面視上方凸状の円弧山型に形成される。上面７の前半部８が前方下傾状になるように構成されている。【選択図】図１
2009101080.tif 000002
【特許請求の範囲】
【請求項１】
座部（１）と、背部（２）と、アームレスト（３）と、上記座部（１）を上下動させる脚部（４）とを、有する採血昇降椅子に於て、
上記アームレスト（３）の上面（７）が、側面視上方凸状の円弧山型に形成され、かつ、該上面（７）の前半部（８）が前方下傾状になるように構成されていることを特徴とする採血昇降椅子。
【請求項２】
上記アームレスト（３）の前端（11）に左右幅寸法（Ｗ）が他の部分よりも大きい幅広部（12）を設けた請求項１記載の採血昇降椅子。
【請求項３】
上記アームレスト（３）の下傾角度（α）を複数段階に切換え可能とするラチェット機構（Ｒ）を備えた請求項１又は２記載の採血昇降椅子。
【請求項４】
上記アームレスト（３）の前端（11）を上方とした跳上げ状態へ、該アームレスト（３）を揺動可能に構成した請求項１，２又は３記載の採血昇降椅子。
【請求項５】
上記座部（１）の下面（13）から上記アームレスト（３）の上面（７）の最高点（Ｔ）までの高さ寸法（Ｈ）を調整可能に構成した請求項１，２，３又は４記載の採血昇降椅子。
【請求項６】
上記背部（２）の後傾角度（θ）を調整可能に構成すると共に、上記アームレスト（３）の下傾角度（α）を最小とした状態で、かつ、上記アームレスト（３）の高さを中間高さとした状態で、上記アームレスト（３）の後端（40）が、上記背部（２）の後傾角度（θ）の大小にかかわらず常に上記背部（２）の前面（41）よりも後方に在るように構成した請求項５記載の採血昇降椅子。
【請求項７】
上記座部（１）を、鉛直軸心（Ｌ4 ）廻りに回転可能として上記脚部（４）の上端（42）に取着した請求項１，２，３，４，５又は６記載の採血昇降椅子。
【発明の詳細な説明】
【技術分野】
【０００１】
本発明は、採血昇降椅子に関する。
【背景技術】
【０００２】
従来、採血又は点滴等の処置を腕に施術する際に、専用の椅子に座って適切な姿勢をとることができるようにしている（例えば、特許文献１参照）。
【０００３】
しかし、従来の椅子では、アームレストが水平状態であって、採血を行なった場合、血が逆流する虞れがあった。すなわち、図10に示すように、採血針ｎを被採血者の腕ｅへ差し込んだ部分よりも採血器具（注射器）ｋが上方となり、一旦採血器具ｋ内に採血した血が血管内へ逆流する虞れがあった。
【特許文献１】特開２００７−１２５１１７号公報
【発明の開示】
【発明が解決しようとする課題】
【０００４】
解決しようとする課題は、アームダウン状態とする（腕を下げる）ことができず、採血した際に血が逆流する虞れがある点である。
【課題を解決するための手段】
【０００５】
そこで、本発明に係る採血昇降椅子は、座部と、背部と、アームレストと、上記座部を上下動させる脚部とを、有する採血昇降椅子に於て、上記アームレストの上面が、側面視上方凸状の円弧山型に形成され、かつ、該上面の前半部が前方下傾状になるように構成されているものである。
また、上記アームレストの前端に左右幅寸法が他の部分よりも大きい幅広部を設けたものである。
また、上記アームレストの下傾角度を複数段階に切換え可能とするラチェット機構を備えたものである。
【０００６】
また、上記アームレストの前端を上方とした跳上げ状態へ、該アームレストを揺動可能に構成したものである。
また、上記座部の下面から上記アームレストの上面の最高点までの高さ寸法を調整可能に構成したものである。
また、上記背部の後傾角度を調整可能に構成すると共に、上記アームレストの下傾角度を最小とした状態で、かつ、上記アームレストの高さを中間高さとした状態で、上記アームレストの後端が、上記背部の後傾角度の大小にかかわらず常に上記背部の前面よりも後方に在るように構成したものである。
また、上記座部を、鉛直軸心廻りに回転可能として上記脚部の上端に取着したものである。
【発明の効果】
【０００７】
本発明の採血昇降椅子によれば、採血を行なった場合に、被採血者の血の逆流を防止しつつ常に楽な姿勢で安全に腰掛けたりすることができ、従って、採血者が常に安全で人間工学的に良好な採血姿勢を得ることができる。すなわち、採血した際に血が逆流しないように容易かつ確実にアームダウン状態とすることができる。特に、身体全体の姿勢を、被採血者の体格・好み等に応じて適切にかつ総合的に調節しつつ、常に（どの使用状態に於ても）アームダウン状態とすることができる。
【発明を実施するための最良の形態】
【０００８】
図１・図２は、本発明の第１の実施の形態を示す。この採血昇降椅子に患者（被採血者）が座った状態で、医師、看護師等が、患者の腕Ｅ（図９参照）、手の甲等から採血を行なう。採血する部位、被採血者の体格・好み等に応じて、採血昇降椅子の各部位が調節可能に構成されている。
【０００９】
採血昇降椅子は、座部１と、背部２と、アームレスト３と、座部１を上下動させる脚部４と、フットレスト５を、有する。アームレスト３が、アーム支持脚６を介して座部１に取着されている。アーム支持脚６が、座部１に固着されている。
【００１０】
図３に示すように、アームレスト３の上面７が、側面視上方凸状の円弧山型に形成され、かつ、上面７の前半部８が前方下傾状になるように構成されている。「円弧山型」とは、完全な円弧のみならず、全体的になだらかな曲線状に変化する形状一般をいう。例えば、「円弧山型」は、流線形状を含む。「前半部８が前方下傾状」とは、（アームレスト３の左右方向中心での断面に於ける）上面７の前後方向の中心点９と前端点10とを結ぶ仮想線Ａが前方下傾していることをいう。
【００１１】
図１・図２・図８に示すように、アームレスト３の前端11に左右幅寸法Ｗが他の部分（すなわちアームレスト３のうち前端11以外の部分）よりも大きい幅広部12が設けられている。
【００１２】
図４・図５に示すように、アームレスト３の下傾角度αを複数段階に切換え可能とするラチェット機構（ラチェット）Ｒを備えている。さらに、図６に示すように、アームレスト３の前端11を上方とした跳上げ状態へ、アームレスト３を揺動可能に構成されている。
【００１３】
具体的には、歯部14を有するとともに軸心Ｌ1 廻りに回転自在なラチェット本体15と、ラチェット本体15の歯部14と噛合自在であるとともにラチェット本体15の回転を一方向のみへ許す（可能とする）爪部16を有する係止片（係止爪）17とを、備えている。係止片17は、回転中心Ｌ2 廻りに回転自在に構成されている。
【００１４】
係止片17は、爪部16が形成された噛合用突片17ａと、バネ18の一端18ａが止着されたバネ止着用突片17ｂと、回転阻止用凸部19に当接して係止片17が所定状態よりも回転中心Ｌ2 廻りに図５の時計廻り方向へ回転するのを阻止するストッパ用突片17ｃと、から成る。すなわち、係止片17は、噛合用突片17ａと、バネ止着用突片17ｂと、ストッパ用突片17ｃのＹ字型（三叉状）に形成されている。バネ18の他端18ｂは、ラチェット本体15の軸心Ｌ1 廻りに回転自在な引掛片52に取着されている。回転阻止用凸部（ストッパー）19はアーム支持脚６の所定位置に外方突出状に配設されている。
【００１５】
ラチェット本体15は、歯部14と爪部16の噛合を解除する（すなわちラチェットＲを解除する）突隆部20を有する。さらに、ラチェット本体15は、解除されたラチェットＲを再び噛合わせるもどし片21を有する。もどし片21は、ラチェットＲが解除された係止片17の爪部16を再び歯部14に噛合わせる誘導凹曲面22を有する。
【００１６】
図４〜図７に於て、ラチェット機構Ｒの作用について説明する。図４は、ラチェットＲの切換えによるアームレスト３の下傾角度αが最小の状態を示す。ラチェットＲを切換えることにより、図４の２点鎖線に示すように、アームレスト３の下傾角度αを複数段階に切換えることができる。すなわち、下傾角度αが最大の状態から順に、４段階に上方へ（図４の矢印Ｘ方向へ）下傾角度αを切換えることができる。言い換えると、アームレスト３は、下傾角度αが異なる複数（４つ）の使用状態（歯部14と爪部16が噛合っている状態）に切換自在である。下傾角度αを最小とした標準状態（図４の実線にて示す状態）に於て、上面７の前半部８が前方下傾状になるように構成されている。
【００１７】
アームレスト３の上記標準状態よりさらにアームレスト３の前端11を上方へ持上げると、係止片17がラチェット本体15の突隆部20に案内されて、図４の標準状態よりも回転中心Ｌ2 廻りに反時計廻り方向へ回転する。そして、ラチェットＲが解除される（歯部14と爪部16が離脱する）。さらにアームレスト３の前端11を上方へ持上げると、図６に示すように、アームレスト３を跳上げ状態とすることができる。なお、係止片17がラチェット本体15の突隆部20に案内される際、バネ18がデットポイントを超える。すなわち、標準状態に於て回転中心Ｌ2 より上側に配設されて係止片17に時計廻り方向への回転モーメントを付与していたバネ18が、回転中心Ｌ2 より下側に配設されて係止片17に反時計廻り方向への回転モーメントを付与するように切換わる。
【００１８】
アームレスト３を跳上げ状態から使用状態へ戻すには、アームレスト３の前端11を下方へ（摩擦抵抗に抗して）下ろすと、図７の２点鎖線にて示すように、係止片17の噛合用突片17ａがラチェット本体15のもどし片21の誘導凹曲面22に接触しかつ誘導されて、係止片17の爪部16が再びラチェット本体15の歯部14に噛み合う。言い換えると、アームレスト３の前端11を下方へ下ろすと、もどし片21が係止片17を復元する。このとき、アームレスト３の下傾角度αが最大となる。
【００１９】
図１〜図４、及び、図６・図７に示すように、座部１の下面13からアームレスト３の上面７の最高点Ｔまでの高さ寸法Ｈが調整可能に構成されている。具体的には、アーム支持脚６が、下端23が座部１に取着されたガイド角筒（外筒体）24と、外筒体24の内部を外筒体24の長手方向にスライド自在に配設されるとともに上端25にアームレスト３が取着された内被ガイド筒体（内筒体）26と、を備える。
【００２０】
外筒体24に、アームレスト３を所定の高さ寸法に位置決めするための複数の位置決め孔27と、（内筒体26の）スライド方向の長孔（スリット）28が、形成されている。内筒体26側に、ナット筒部29と、ノッチボール30が配設されている。ノッチボール30が位置決め孔27に嵌合することにより、外筒体24に対する内筒体26の位置が確定する。内筒体26の位置が確定した後、外筒体24の長孔28にボルト部材31を挿通するとともに、ナット筒部29とボルト部材31を螺合させて内筒体26を外筒体24に固定する。
【００２１】
図３に示すように、背部２の後傾角度θを調整可能に構成する。すなわち、背部２を水平方向の背部揺動軸心Ｌ3 廻りに揺動可能に枢着する。背部２の後面32側に、背部２の後傾角度θに応じて伸縮するガススプリング33が配設されている。ガススプリング33の上端34が、背部２の上部35と枢着されている。ガススプリング33の下端36が、（ガススプリング33の伸縮方向の）延長部材37の上端38に固着されている。延長部材37の下端39が、座部１に枢着されている。このように延長部材37を付設することで、必要なガススプリング33の全長を短くすることができる。
【００２２】
後傾角度θが、例えば、５°≦θ≦55°を満たす範囲で調整可能に設定される。後傾角度θがこの範囲にある場合、被採血者の腕Ｅ（図９参照）の角度を最適な角度に調整することができる。また、被採血者の座り心地が良い。言い換えると、後傾角度θが上記範囲にない場合、被採血者の腕Ｅの角度を最適な角度に調整することが困難であるとともに、座り心地が悪い。すなわち、θ＜５°の場合、身体を極端に折り曲げることになり、筋肉が緊張する（リラックスすることができない）。55°＜θの場合、被採血者がフットレスト５に乗せた足が突っ張ってしまう。かつ、55°＜θの場合、アームダウン状態が維持困難となる。
【００２３】
アームレスト３の（使用状態に於ける）下傾角度αを最小とした標準状態で、かつ、アームレスト３の高さを中間高さとした状態（図３の２点鎖線にて示す状態）で、アームレスト３の後端40が、背部２の後傾角度θの大小にかかわらず常に背部２の前面41よりも後方に在るように構成されている。言い換えると、アームレスト３の上記標準状態であって、かつ、背部２の後傾角度θを最大とした（背部２の）最大後傾状態に於て、アームレスト３の後端40が背部２の前面41よりも後方に在るように構成されている。
【００２４】
「アームレスト３の高さを中間高さとした状態」とは、アームレスト３の高さ寸法Ｈを奇数段階に切り換えることができる場合は、奇数の位置決め孔27のうち真ん中にあるものにノッチボール30が嵌合した状態をいう。アームレスト３の高さ寸法Ｈを偶数段階に切り換えることができる場合は、偶数の位置決め孔27の真ん中にあるふたつの位置決め孔27のうち下側のものにノッチボール30が嵌合した状態をいう。
【００２５】
図２・図８に示すように、座部１が、鉛直軸心Ｌ4 廻りに図８の矢印Ｙに示すように回転可能として脚部４の上端42に取着されている。例えば、右へ90°回転させた右回転状態、正面設置状態（図１〜図３及び図８に示した状態）、左へ90°回転させた左回転状態の３つの状態に切換え可能に構成されている。
【００２６】
なお、図１〜図３に示すように、座部１の上下動は、（モータとネジ式の）往復動アクチュエータ43によって行なう。脚部４が、昇降ガイド機構Ｇを有する。すなわち、脚部４が、外筒脚体44と、外筒脚体44の内部に上下スライド自在な脚部本体45と、外筒脚体44と脚部本体45の間隙46に配設されて脚部本体45の上下スライドを可能とする転動自在な複数のガイドローラ47を、備える。
【００２７】
上述の各調節機構のスイッチは、例えば、次のように配設されている。すなわち、左側のアームレスト３の前端11に配設された上下動レバー48を上下動させることにより、座部１の上下動を電動で行なう（すなわち往復動アクチュエータ43を駆動する）ことができるように構成されている。右側のアームレスト３の前端11に配設された座部回転ロック解除レバー49を上へ引上げることにより、座部１の回転に対するロックが解除されて、座部１を回転させることができるように構成されている。図１・図２に示すように背部２に取着された左右一対の（連動杆50にて相互に連結された）背部揺動ロック解除レバー51のうち一方を図２の矢印Ｚ方向へ揺動させることにより、背部２の揺動に対するロックが解除されて、背部２を揺動させて後傾角度θを調節することができるように構成されている。
【００２８】
上述のように、本発明の採血昇降椅子を、座部１の昇降、背部２のリクライニング、アームレスト３の昇降等により、被採血者の体格に対応させることができる。
なお、本発明は、設計変更可能であって、例えば、アームレスト３の下傾角度αを２段階、３段階、又は、５段階以上に、切換え可能とするも良い。また、アームレスト３を電動で上下動させるアームレスト用往復動アクチュエータを備えるも良い。また、座部１を５つの回転角度方向に切換え可能に構成するも良い。
【００２９】
以上のように、本発明は、座部１と、背部２と、アームレスト３と、座部１を上下動させる脚部４とを、有する採血昇降椅子に於て、アームレスト３の上面７が、側面視上方凸状の円弧山型に形成され、かつ、上面７の前半部８が前方下傾状になるように構成されているので、被採血者が背部２に背中をもたれた状態で、被採血者の採血しようとする腕Ｅがアームレスト３の形状に合わせ支持できるようになりアームダウン状態を容易に確保できるようになり、かつ、図９に示すように、採血針Ｎを被採血者の腕Ｅへ差し込んだ部分よりも採血器具Ｋが下方となるようにしつつ採血することができ逆流を防止できる。容易かつ確実にアームダウン状態で腕Ｅを支持することができる。そして、採血した際の血の逆流を防止することができる。すなわち、採血した血液が逆流することを確実に防止することができる。すなわち、安全かつ容易に採血を行なうことができる。特に、上面７が円弧山型なので、腕Ｅを乗せる位置をずらすことで、被採血者の体格に応じて腕Ｅを安定させやすい角度・姿勢にある程度自由にアームダウンすることができる。座部１が上下動可能なので、採血者が採血を行なう場合に、負荷がかかる無理な体勢にならないように、採血者の体格に合わせて座部を昇降させることができる。
【００３０】
また、アームレスト３の前端11に左右幅寸法Ｗが他の部分よりも大きい幅広部12を設けたので、被採血者が、様々な採血位置（例えば腕Ｅの裏や手の甲等）に対応して腕Ｅの姿勢をとるが、どのような腕Ｅの姿勢をとる場合にも、腕Ｅを容易に安定してアームレスト３の上に置くことができる。そして、採血者が、容易に採血することができる。さらに、幅広部12以外の部分は、左右幅寸法Ｗが小さいので、検査器具や治療器具等を載置するためのトレイをアームレスト３の横側に適切に（アームレスト３との干渉を避けるとともに全体としての左右幅寸法を小さくしつつ）配設することができて至便である。
【００３１】
また、アームレスト３の下傾角度αを複数段階に切換え可能とするラチェット機構Ｒを備えたので、被採血者の体格に合わせ、心臓位置より腕Ｅが高くならないアームダウン状態にさせ、血の逆流を防ぐことおよび肘を直線状にさせアームダウン状態において採血針Ｎを差し込んだ部分から、採血器具Ｋを下方に配設することができる。すなわち、必要に応じてアームレスト３の下傾角度αを調節して、被採血者の腕Ｅの角度を適切な角度に調整して、適切かつ確実にアームダウン状態とすることができる。特に、下傾角度αを最小とした標準状態（図４の状態）に於ても、上面７の前半部８が前方下傾状になるように構成されているので、どの使用状態に於ても、常に、アームダウンすることができる。
【００３２】
また、アームレスト３の前端11を上方とした跳上げ状態へ、アームレスト３を揺動可能に構成したので、緊急時にアームレスト３を跳上げ状態として、被採血者を採血昇降椅子から容易に降ろすことができる。
【００３３】
また、座部１の下面13からアームレスト３の上面７の最高点Ｔまでの高さ寸法Ｈを調整可能に構成したので、アームレスト３の高さ寸法Ｈを被採血者の体格に対応させて、腕Ｅの高さを適切な高さにすることができる。すなわち、適切かつ確実にアームダウン状態とすることができる。
【００３４】
また、背部２の後傾角度θを調整可能に構成すると共に、アームレスト３の下傾角度αを最小とした状態で、かつ、アームレスト３の高さを中間高さとした状態で、アームレスト３の後端40が、背部２の後傾角度θの大小にかかわらず常に背部２の前面41よりも後方に在るように構成したので、被採血者の容態に応じて、楽なポジションを取ることができるとともに、被採血者の肘を直線状にし、安全な採血を行なうことができる。すなわち、被採血者の腕Ｅの角度及び腰の角度を最適な角度に調整することができる。そして、被採血者がリラックスしてアームダウン姿勢をとることができる。また、背部２を大きく後傾して、貧血などの緊急時に安静にすることができる。さらに、側面から見てアームレスト３と背部２の間に隙間が生じない（連続状となる）ので、アームレスト３と背部２の間に衣服等が挟まれることを防止することができる。
【００３５】
また、座部１を、鉛直軸心Ｌ4 廻りに回転可能として脚部４の上端42に取着したので、被採血者の採血昇降椅子への乗り降りを容易にすることができる。つまり、被採血者が、採血昇降椅子の設置レイアウトおよびスペースによって、採血昇降椅子を回り込まなくても着座することができる。すなわち、採血昇降椅子への乗り降りに便利である。
【図面の簡単な説明】
【００３６】
【図１】本発明の実施の一形態を示す斜視図である。
【図２】一部断面正面図である。
【図３】一部断面側面図である。
【図４】要部拡大図である。
【図５】ラチェットを示す要部拡大図である。
【図６】アームレストの跳上げ状態を示す要部拡大図である。
【図７】要部拡大図である。
【図８】平面図である。
【図９】アームダウン状態で採血する状態を示す説明図である。
【図１０】腕を水平状にした状態で採血する状態を示す説明図である。
【符号の説明】
【００３７】
１  座部
２  背部
３  アームレスト
４  脚部
７  上面
８  前半部
11  前端
12  幅広部
13  下面
40  後端
41  前面
42  上端
Ｈ  高さ寸法
Ｌ4 鉛直軸心
Ｒ  ラチェット機構（ラチェット）
Ｔ  最高点
Ｗ  左右幅寸法
α  下傾角度
θ  後傾角度
【図１】
2009101080.tif 000003
【図２】
2009101080.tif 000004
【図３】
2009101080.tif 000005
【図４】
2009101080.tif 000006
【図５】
2009101080.tif 000007
【図６】
2009101080.tif 000008
【図７】
2009101080.tif 000009
【図８】
2009101080.tif 000010
【図９】
2009101080.tif 000011
【図１０】
2009101080.tif 000012